(57)【要約】      （修正有）【課題】携帯性にすぐれ、迅速、確実に糞を除去出来る糞採取用具を提供する。【解決手段】ペット用の糞採集用具は、１枚の板状体の中央部３を折り曲げ、折り曲げた板状体の間の片方１に切り抜き６と折れ筋７を入れ、内側に折り曲げ支点８を作る。突起物形状体の切り抜き１０と折れ筋９を入れ、その先端５を外側に折り曲げることで突起物形状体の切り抜き部分１２が脱落防止用突起物として板状体１と２の内側に出る。【選択図】図４
0003161047.tif 000002
【実用新案登録請求の範囲】
【請求項１】
１枚の板状体の中央部に折り筋を入れ折り曲げ、２枚になった片方１枚の板状体に切り抜きを入れ、内側に折り曲げて支点を形成することにより、２枚になった板状体の先端の開口維持と弾性機能を備え先端を開閉できる機能を特徴としたペットの糞採取用具
【請求項２】
請求項１に記載のペットの糞採取用具において
２枚なった板状体の１枚の先端に折り曲げ代を形成し、突起物形状体は折り代と接合するように切り抜きを入れ、突起物形状体と折り代の接合部に折り筋を入れることで突起物が構成されることを特徴としたペットの糞採取用具
【請求項３】
請求項１または２に記載のペットの糞採取用具において
切り抜きされた突起物形状体はその折り筋で折り代を外側に折り曲げることにより、折り曲げられた突起物形状体と折り代の側面が先端部を成し、それにより突起物形状体が内側に突起する機能を持つことを特徴にしたペットの糞採取用具。
【請求項４】
請求項１または２、３に記載のペットの糞採取用具において
突起形状体が内側に突起した時、もう１枚の板状体の先端がその突起した突起形状体の上部に入り突起物形状体を形成する側の板状体に開閉と弾性機能を維持しながら密着する事を特徴にしたペットの糞採取用具。
【考案の詳細な説明】
【技術分野】
【０００１】本考案はペットの糞を採取するに関し、特に簡便な組み立てと、携帯性にすぐれ、糞回収が確実に行えるペットの糞採取用具に関する。
【背景技術】
【０００２】ペットの糞の処理には排便を直接用具で収容したり、ビニール袋越しに糞を掴み裏返しそのまま収容したり、スコップ状の物で回収し、回収袋に収容を行う。
特許文献１は糞を直接捕獲する方法が開示され、特許文献２はちりとり状の物での収容方法が開示されている。
【先行技術文献】
【特許文献】
【０００３】
【特許文献１】特許公開２００７−５４０３７公報
【特許文献２】特許公開２００７−２７９４９１６公報
【考案の概要】
【考案が解決しようとする課題】
【０００４】しかしながら糞回収時の直接捕獲の場合動く動物の排便の捕獲の不確実性、ちりとり回収においては内容器の着脱と内容物を回収した後の処理等や、糞の大小や色々な形状の糞に対し安定して行う処理等が課題である。【０００５】そこで本考案は、携帯性を持たせ、短時間で、簡単に、確実に糞を採取出来るペットの糞採取用具を提供することを目的とする。
【課題を解決するための手段】
【０００６】（１）本考案の第１の態様は、ペットの糞を挟み込むため１枚の板状体の中央部に折り筋を入れ折り曲げ、２枚になった板状体片方に切り抜きと折れ筋を入れ、２枚の板状体の間に折り曲げて支点を構成し、２枚の板状体の先端が簡単に自由に開閉できる機能と弾性機能を持たせる。【０００７】（２）本考案の第２の態様は、第（１）の板状体のもう片方の先端部分に、折り曲げ代を残して折れ筋を入れ、折れ筋を基準に任意の突起物形状体に合わせた切り抜きを入れる。  その時突起物形状体を成す切り抜きの両端を折れ筋位置とし、突起物形状体が折り代と接合し、各突起物形状の間隔を空けることで独立した突起物形状体を成し、折り曲げられ内側に突起し、落下防止機能を持った突起物形状体を形成するように構成したものである。【０００８】（３）本考案の第３の態様は使用時、突起形状体を形成しない片方の板状体の先端が突起した突起物形状体の上部内側に入り、支点機能により開閉と弾性を維持しながら当該板状体に密着し、多様な形状の糞の採取の落下防止、と挟み込みが出来るように構成したものである。
【考案の効果】
【０００９】本考案を使用にあたり第（１）によるペットの糞が掴み易く、第（２）の形状に寄り糞の落下を防止し第（３）の構成により糞の大きさや形状に拘らず糞を隙間無く挟み込む事が出来る。
又１枚の板状体から切り抜きや折り筋を入れる事で簡単に組み立てが出来、携帯性に優れている。
【図面の簡単な説明】
【００１０】
【図１】本考案の第１、２、３の実葹例に係わるペットの糞採取用具の構成部品を示す平面図である
【図２】本考案の第１、２の実葹例に係わるペットの糞採取用具の組み立て態様示す則面図である
【図３】本考案の第１、２、３の実葹例に係わるペットの糞採取用具の利用態様を示す則面図である
【図４】本考案の第１、２の実葹例に係わるペットの糞採取用具利用態様を示す斜視図である
【符号の説明】
【００１１】１：突起物形状体を構成しない板状体
２：突起物形状体を構成する板状体
３：中央折り筋
４：１の板状体の先端
５：２の板状体の先端
６；支点切り抜き
７：支点折れ筋
８：支点
９：突起形状体基準折れ筋
１０：突起物形状体切り抜き
１１：折り曲げ代
１２：突起物形状体
【考案を実葹するための形態】
【００１２】以下、本考案を図示する実葹形態に基づいて説明する。
【００１３】図１は本考案実葹例に係わるペット用の糞採取用具の構成部品の平面図である。
図１に示す１枚の板状体から３、９、７の折れ筋、６、１０の切り抜きで構成される。
【００１４】図１における１枚の板状体の中央折り筋３で折り曲げる事で、板状体１、２が形成され、板状体１において切り抜き６と折り筋７によって図２の板状体１、２の間に支点８を構成する。
【００１５】図１における支点８は板状体の形状により切り抜き６の位置、幅、長さを設定することで、図２の先端４と図３の突起した突起物形状１２の開口幅と開閉時の挟み込みの弾性を調整し、より糞の採取機能を持たせる。
【００１６】一方、図１における板状体２に突起物形状体１２の切り抜き１０は，折り代１１に接合部分を残し切り抜き、先端５と折り代１１を持って折り筋９を外側に折り曲げることで図２の突起物形状体１２が板状体１と２の間に突起し糞の脱落を防止する。
【００１７】糞を挟持するため、図３の板状体１の先端４と板状体２を密着させる場合、板状体１の先端４は図３の突起した突起物形状体１２の内側の板状体２に接する。
【実葹例】
【００１８】図１の１枚の板状体では１度のプレス、打ち抜きする事で本考案の全ての部品を構成し簡便な組み立てが出来る。
【００１９】図２における実施例では、支点８は図１に示す板状体１を切り抜き６、折れ筋７を入れ、図２に示すように内側に折り曲げる事で構成し、先端４と突起物形状体１２間の開口維持と弾性機能を持ち、自由に開閉をすることでどのような形状、状況の糞でも確実に挟持する機能を持つ事が出来る。
【００２０】図４に示すように突起物形状体１２は板状体２の先端５折り代１１を外側に折り曲げる事で内側に突起し、糞脱落防止の機能を持つ。
【００２１】図２、の実施例のように糞採取時、地面に折り代１１と突起物形状体１２を着地させ板状体２の角度を変えながら先端部４で糞を突起物形状体１２の上に寄せ、挟み込み採取出来る。
【００２２】図３の実施例では先端部４が糞を突起物形状体１２上に寄せ、挟み込みする場合、先端部４は必ず突起物形状１２内側に入り、板状体２に密着し、確実に色々な形状の糞を採取出来る。
【図１】
0003161047.tif 000003
【図２】
0003161047.tif 000004
【図３】
0003161047.tif 000005
【図４】
0003161047.tif 000006
【手続補正書】
【提出日】平成22年4月21日(2010.4.21)
【手続補正１】
【補正対象書類名】実用新案登録請求の範囲
【補正対象項目名】全文
【補正方法】変更
【補正の内容】
【実用新案登録請求の範囲】
【請求項１】
１枚の板状体の中央部に折り筋を入れ折り曲げ、２枚になった片方１枚の板状体に切り抜きを入れ、内側に折り曲げて支点を形成することにより、２枚になった板状体の先端の開口維持と弾性機能を備え先端を開閉できる機能を特徴としたペットの糞採取用具
【請求項２】
請求項１に記載のペットの糞採取用具において
２枚なった板状体の１枚の先端に折り曲げ代を形成し、突起物形状体は折り代と接合するように切り抜きを入れ、突起物形状体と折り代の接合部に折り筋を入れることで突起物が構成されることを特徴としたペットの糞採取用具
【請求項３】
請求項１または請求項２に記載のペットの糞採取用具において
切り抜きされた突起物形状体はその折り筋で折り代を外側に折り曲げることにより、折り曲げられた突起物形状体と折り代の側面が先端部を成し、それにより突起物形状体が内側に突起する機能を持つことを特徴にしたペットの糞採取用具。
【請求項４】
請求項１乃至３の何れか１項に記載のペットの糞採取用具において突起物形状体が内側に突起した時、もう１枚の板状体の先端がその突起した突起物形状体の上部に入り突起物形状体を形成する側の板状体に開閉と弾性機能を維持しながら密着する事を特徴にしたペットの糞採取用具。